(57)【特許請求の範囲】
【請求項１】
車体パネルの車室側に取り付けられる内装部品本体と、
前記車体パネルと前記内装部品本体の間の空隙に設置されるエアバッグ装置と、
前記エアバッグ装置を挟持するケースと、を備え、
前記ケースは
前記内装部品本体と前記エアバッグ装置との間に配置される内ケースと、
前記車体パネル側に配置され、前記エアバッグ装置からエアバッグが膨張展開する方向に開口を有するように、前記内ケースに接合された外ケースからなり、
前記ケースは、前記車室側からの衝撃を受けるインパクトエリアに、該ケースの剛性を弱めて衝撃を吸収するためのスリット状の切り欠き部を有し、
前記切り欠き部は、
前記内ケースと前記外ケースが当接する前記内ケースと前記外ケースの外縁部に設けられ、外縁から内向きに切り欠かれたスリット状の複数の第１の切り欠き部と、
前記エアバッグ装置の側面から底面に沿って該エアバッグ装置を挟持する、前記外ケースの屈曲部に設けられたスリット状の孔である第２の切り欠き部とであり、
前記第１の切り欠き部同士の間にある前記外縁部は前記内装部品本体に固定されず、前記複数の第１の切り欠き部の外側の前記外縁部が前記内装部品本体に固定され、
前記第２の切り欠き部は、前記第１の切り欠き部同士の間に対応する前記屈曲部に設けられていることを特徴とする車両用内装部品。
【発明の詳細な説明】
【技術分野】
【０００１】
本発明は、エアバッグ装置を備えた車両用内装部品に関する。
【背景技術】
【０００２】
車両の乗員室に装着される内装部品には、様々な安全設計が実施されている。例えば、車両が障害物や他の車両などに衝突した際に、乗員の安全を確保するエアバッグを内蔵するものがあり、また、同時に、衝突の衝撃を吸収する機能を、内装部品自体に備えることが求められている。
【０００３】
図５は、車両用内装部品であるドアトリム４０を示す模式図である。ドアトリム４０は、車室内の車両パネルに装着されて使用される内装部品であり、図中には、車両パネル側から見たドアトリム本体４２の内面が示されている。また、ドアトリム４０は、エアバッグユニット４１を内部に備えている。
【０００４】
図６は、ドアトリム本体４２のＡ−Ａ断面を示す模式図であり、エアバッグユニット４１の構成を示している（図５参照）。エアバッグ装置４６は、外ケース４４と内ケース４３に挟持され、ドアトリム本体４２と車両パネル４９との間の空隙に配置されている。車両の衝突の際には、エアバッグ装置４６に高圧ガスが送り込まれ、折り畳まれて格納されているエアバッグが、エアバッグ装置４６の上面から上方に向けて膨張する。ドアトリム本体４２の上部に設けられている展開部４８は、膨張したエアバッグに押し上げられ、ヒンジ部４７を軸として上方に回動して展開口を開く。これにより、エアバッグは、車室内に膨張展開し、その機能を果たすことができる。
【０００５】
一方、ドアトリム４０自体においても、乗員の安全を図るために、衝撃吸収の機能が求められている。例えば、特許文献１には、側方からの衝撃が加わった際に、内装部品の破断を容易に誘発し、衝撃を有効に吸収する車両内装部品が記載されている。
【先行技術文献】
【特許文献】
【０００６】
【特許文献１】特開平１１−４８８８８号公報
【発明の概要】
【発明が解決しようとする課題】
【０００７】
しかしながら、上記の従来技術に係る車両用内装部品においては、エアバッグユニットを内蔵したことにより、内装部品本体の剛性が強化され、衝撃吸収機能が阻害されるという問題が生じる場合があった。
【０００８】
内ケース４３と外ケース４４は、エアバッグの膨張展開時の圧力に抗してエアバッグ装置４６を保持する強度を確保するために、鉄板を成形して製作されている。さらに、複数のネジ４５によって、ドアトリム４０の内面に強固に固定されている（図５参照）。また、インパクトエリアの外ケース４４と内ケース４３の下端はリベット５０で固定しており、エアバッグが展開する際に外ケース４４と内ケース４３の変形を防止して、正規の展開形状となるようにしていた。
【０００９】
しかし、内ケース４３の下端と外ケース４４の下端をリベット５０で固定していたため、内ケース４３と外ケース４４の剛性が高まり、衝撃吸収性能が満足できなかった。
【００１０】
そこで、本発明は、上記の問題を鑑みてなされたものであり、エアバッグ装置を備えた場合においても、乗員の安全を図るために必要な衝撃吸収特性を有する車両用内装部品を提供することを目的とする。
【課題を解決するための手段】
【００１１】
上記課題を解決するために、本発明に係る車両用内装部品は、車体パネルの車室側に取り付けられる内装部品本体と、車体パネルと内装部品本体の間の空隙に設置されるエアバッグ装置と、エアバッグ装置を挟持するケースと、を備え、ケースは、車室側からの衝撃を受けるインパクトエリアに、該ケースの剛性を弱めて衝撃を吸収するためのスリット状の切り欠き部を有することを特徴とする。
【００１２】
本発明によれば、切り欠き部を設けた部分の剛性が弱まり変形が容易となるので、車両用内装部品の衝撃吸収性能が改善される。これにより、車両の衝突時に、乗員の安全を確保することが可能となる。
【００１３】
さらに、本発明に係る車両用内装部品において、ケースは、前記内装部品本体と前記エアバッグ装置との間に配置される内ケースと、前記車体パネル側に配置され、前記エアバッグ装置からエアバッグが膨張展開する方向に開口を有するように、前記内ケースと接合された外ケースと、を備え、前記切り欠き部は、前記内ケースと前記外ケースが当接する前記内ケースと前記外ケースの外縁部に設けられ、外縁から内向きに切り欠かれたスリット状の第１の切り欠き部と、前記エアバッグ装置の側面から底面に沿って該エアバッグ装置を挟持する、前記外ケースの屈曲部に設けられたスリット状の孔である第２の切り欠き部であることを特徴とする。
【００１４】
上記の発明によれば、エアバッグ装置を挟持する外ケースと内ケースに設けられた第１の切り欠き部と、外ケースに設けられた第２の切り欠き部が協働して機能することにより、ケースの剛性を効果的に弱め、衝撃吸収性能を改善することができる。
【００１５】
また、本発明に係る車両用内装部品において、ケースは、内装部品本体とエアバッグ装置との間に配置される内ケースと、車体パネル側に配置され、エアバッグ装置からエアバッグが膨張展開する方向に開口を有するように、内ケースと接合された外ケースと、を備え、内ケースおよび外ケースの各々は、エアバッグ装置の側面から底面に沿って、該エアバッグ装置を挟持する屈曲部を有し、切り欠き部は、屈曲部の少なくとも一方に設けられたスリット状の孔であることを特徴とする。
【００１６】
上記の発明によれば、内ケースと外ケースの両方に成形された屈曲部が変形して衝撃を吸収する。この際、少なくともいずれか一方の屈曲部において、切り欠き部が設けられていれば、ケースの剛性を弱めて衝撃吸収性能を改善することができる。
【発明の効果】
【００１７】
本発明に係る車両用内装部品によれば、エアバッグ装置を備えた場合においても、乗員の安全を図るために必要な衝撃吸収特性を実現することができる。
【図面の簡単な説明】
【００１８】
【図１】本発明に係る車両用内装部品を示す模式図である。
【図２】本発明に係る車両用内装部品のインパクトエリアにおけるエアバッグユニットを示す模式図である。
【図３】本発明に係る車両用内装部品が、衝撃により変形した状態を示す模式図である。
【図４】本発明に係る車両用内装部品の第２の実施態様を示す模式図である。
【図５】従来技術に係る車両用内装部品を示す模式図である。
【図６】従来技術に係る車両用内装部品のＡ−Ａ断面を示す模式図である。
【発明を実施するための形態】
【００１９】
以下、本発明に係る好適な実施の形態について、図面を参照しながら詳細に説明する。
【００２０】
図１は、本実施態様に係る車両用内装部品であるドアトリム１を示す模式図である。ドアトリム１は、車体パネルの車室側に取り付けられる内装部品であり、ドアトリム本体２の上部には、エアバッグユニット３が取り付けられている。前述したように、ドアトリム１が車体パネルに装着された状態において、エアバッグユニット３と、エアバッグユニット３に内装されるエアバッグ装置は、車体パネルとドアトリム本体２の間の空隙に配置される（図６参照）。
【００２１】
エアバッグユニット３は、車体パネルとドアトリム１の間の空隙にエアバッグ装置を挟持するケースを備えている。図６に示す従来技術に係るエアバッグユニット４１の場合と同様に、エアバッグ装置を挟持するケースは、ドアトリム本体２とエアバッグ装置との間に配置される内ケース１３と、車体パネル側に配置され、内ケース１３と接合された外ケース１２で構成されている。後述するように、図中に示すインパクトエリアＢにおいて、外ケース１２の剛性を弱めて衝撃を吸収するためのスリット状の切り欠き部を有している。
【００２２】
図１に示すインパクトエリアＢは、車室内の座席に着座している乗員の上半身が、衝突時の衝撃でドアトリム１に打ちつけられる場合の打撃領域を想定したものである。したがって、インパクトエリアＢにおいて、ドアトリム１は、所定の衝撃吸収性能を有することが求められている。
【００２３】
図２は、上記のインパクトエリアＢに位置するエアバッグユニット３の部分を示した模式図である。エアバッグユニット３の上面には、エアバッグ装置からエアバッグが膨張展開する方向に開口が設けられている（図６参照）。一方、外ケース１２と内ケース１３の下部に位置する外縁部４は、複数のネジ９で接合され、さらにドアトリム本体２に固定されている。また、外ケース１２と内ケース１３の下部の外縁部４には、外縁から内向きに切り欠かれたスリット状の第１の切り欠き部５が複数設けられており、ネジ９で固定された外縁部４と、リベット２５で固定した外縁部６を分離した構成となっている。外ケース１２と内ケース１３の下部の外縁部６がリベット２５で固定されていることで、エアバッグが展開する際に外ケース１２と内ケース１３の変形を防止し、正規の展開形状となるようにしている。
【００２４】
外ケース１２と内ケース１３が接合された状態において、外ケース１２と内ケース１３の外縁部６は当接しているが、外縁部４のようにドアトリム本体２には固定されていない。すなわち、外縁部６は、切り欠き部５によってネジ９で固定された外縁部４から分離され、更にリベット２５で固定されているため、外ケース１２の変形に追従して動き得る状態に保持されている。
【００２５】
一方、外ケース１２の屈曲部Ｐには、スリット状の孔である第２の切り欠き部７が設けられている。屈曲部Ｐは、エアバッグ装置の側面から底面を挟持するように成形された形状の部分であり、従来技術に係るエアバッグユニット４１においては、衝撃を受けても変形を起こさない部分である。しかし、図２中に示すように第２の切り欠き部７を設けることにより、その剛性が弱められており、衝撃による変形を生じ易くなっている。
【００２６】
このように、内ケース１３と外ケース１２の下部の外縁部６はインパクトエリアＢにおいてはリベット２５等で固定し、更にインパクトエリアＢに切り欠き部５を設けたので、内ケース１３と外ケース１２の外縁部６のずれを防止してエアバッグのスムーズな展開を行いつつ、外縁部６が可動となり、切り欠き部７を設けたことにより外ケース１２が座屈して衝撃吸収性能も満足するようにした。
【００２７】
図３は、本実施態様に係るエアバッグユニット３に、衝撃が加えられた場合において、内ケース１３および外ケース１２が変形する状態を示す模式図である。図中の矢印Ｘに示す方向に衝撃が加えられた場合、内ケース１３は、衝撃方向にシフトし、一方で、外ケース１２は、屈曲部Ｐにおいて曲率が大きくなり、屈曲した形状が開くように変形する。すなわち、第２の切り欠き部７によって屈曲部Ｐの剛性が弱くなったことに加えて、第１の切り欠き部５によって可動状態に分離された外縁部６が、リベット２５で固定されたまま図中に示す矢印Ｚの方向へ移動することにより、屈曲部Ｐの変形が可能となっている。これにより、従来技術に係るエアバッグユニット４１に比べて、Ｘ方向に加えられた衝撃に対する反力が小さくなり、衝撃吸収性能を改善することができる。また、外ケース１２に角度θの斜面１２ａを形成したことにより、Ｘ方向の衝撃が加わった際に、外縁部６が確実にＺ方向に移動するため、衝撃吸収性能を改善することができる。
【００２８】
図４（ａ）は、本発明の第２の実施態様を示す模式図である。本実施態様においては、ドアトリム本体とエアバッグ装置２１との間に配置される内ケース２３と、車体パネル側に配置され、内ケース２３とリベット２５で接合された外ケース２２を備えている。また、エアバッグ装置２１の上方には、エアバッグが膨張展開する開口（図６参照）が設けられている。
【００２９】
さらに、内ケース２３および外ケース２２の各々は、エアバッグ装置２１の側面から底面に沿って、エアバッグ装置２１を挟持する屈曲部ＱおよびＰを有している。屈曲部ＱまたはＰの少なくとも一方には、スリット状の孔である切り欠き部２７が設けられている。本実施態様においては、図中に示すように、屈曲部Ｐに切り欠き部２７が設けられている。
【００３０】
図４（ｂ）は、図４（ａ）に示す内ケース２３と外ケース２２が、衝撃により変形した状態を示す模式図である。本実施態様の場合には、屈曲部ＱおよびＰが、屈曲を開くように変形して衝撃を吸収する。この際、内ケース２３と外ケース２２の接合部は、図中の矢印に示すＺ方向に移動するので、屈曲部ＱおよびＰがスムーズに変形し、反力を小さくすることができる。
【００３１】
上記の第２の実施態様においては、屈曲部Ｐのみに切り欠き部２７を設けているが、屈曲部ＰおよびＱの両方に設けても良い。
【００３２】
以上、本発明の好ましい実施例について詳述したが、本発明に係る車両用内装部品は上述した実施例に限定されるものではなく、特許請求の範囲に記載された本発明の要旨の範囲内において、種々の変形、変更が可能である。また、上記の実施態様の選択、および切り欠き部の配置などは、必要な衝撃吸収性能および車両用内装部品の形状などに合わせ、エアバッグ装置の性能を損なうことなく設定され実施されることが好ましい。
【符号の説明】
【００３３】
１      ドアトリム
２      ドアトリム本体
３      エアバッグユニット
５      第１の切り欠き部
６      外縁部
７      第２の切り欠き部
１２    外ケース
１３    内ケース
２１    エアバッグ装置
２２    外ケース
２３    内ケース
２５    リベット
Ｂ      インパクトエリア
Ｐ、Ｑ    屈曲部
【図１】
0005534141.tif 000002
【図２】
0005534141.tif 000003
【図３】
0005534141.tif 000004
【図４】
0005534141.tif 000005
【図５】
0005534141.tif 000006
【図６】
0005534141.tif 000007